(57)【特許請求の範囲】
【請求項１】
断路器もしくは接地開閉器または接地開閉器を一体に備えた断路器である開閉器と、当該開閉器の操作装置とを備えたガス絶縁開閉装置であって、
前記操作装置は、
前記開閉器の可動接触子を駆動させるための駆動源となる正逆回転可能なモータと、当該モータに電力を供給する電源と、前記モータの回転に伴って回転する第１のプーリーとを有する駆動部と、
前記第１のプーリーの回転に伴って回転する第２のプーリーと、前記第２のプーリーの回転に対して間欠的に従動して前記可動接触子を駆動する従動車とを有し、前記駆動部から切り離され前記開閉器に取り付けられたゼネバ機構と、
前記第１のプーリーと前記第２のプーリーとに掛け渡され、前記モータによる回転力を前記第１のプーリーから前記第２のプーリーへ伝達する可撓性の回転力伝達部材と、
を備え、
前記第２のプーリーには、軸方向の一端面に突起部が設けられ、
前記従動車には、前記突起部が係合する溝部が設けられ、
前記溝部は、Ｖ状であること
を特徴とするガス絶縁開閉装置。
【請求項２】
前記回転力伝達部材は、ワイヤであることを特徴とする請求項１に記載のガス絶縁開閉装置。
【請求項３】
前記開閉器は複数台設けられ、
前記操作装置は、前記複数台の開閉器と同数台設けられ、
前記複数台の操作装置のそれぞれの前記駆動部が同一の箱の中に収納されていることを特徴とする請求項１に記載のガス絶縁開閉装置。
【請求項４】
前記駆動部と前記ゼネバ機構との間における前記回転力伝達部材の移動経路が折り曲げられていることを特徴とする請求項１に記載のガス絶縁開閉装置。
【請求項５】
断路器もしくは接地開閉器または接地開閉器を一体に備えた断路器である開閉器の本体と、当該開閉器の操作装置とを備えた開閉器であって、
前記操作装置は、
前記開閉器の可動接触子を駆動させるための駆動源となる正逆回転可能なモータと、当該モータに電力を供給する電源と、前記モータの回転に伴って回転する第１のプーリーとを有する駆動部と、
前記第１のプーリーの回転に伴って回転する第２のプーリーと、前記第２のプーリーの回転に対して間欠的に従動して前記可動接触子を駆動する従動車とを有し、前記駆動部から切り離され前記開閉器に取り付けられたゼネバ機構と、
前記第１のプーリーと前記第２のプーリーとに掛け渡され、前記モータによる回転力を前記第１のプーリーから前記第２のプーリーへ伝達する可撓性の回転力伝達部材と、
を備え、
前記第２のプーリーには、軸方向の一端面に突起部が設けられ、
前記従動車には、前記突起部が係合する溝部が設けられ、
前記溝部は、Ｖ状であること
を特徴とする開閉器。
【発明の詳細な説明】
【技術分野】
【０００１】  本発明は、ガス絶縁開閉装置および開閉器に関する。
【背景技術】
【０００２】  発電所または変電所等で使用されるガス絶縁開閉装置は、遮断器、断路器、接地開閉器、および母線等の各種の機器を組み合わせて構成される。ガス絶縁開閉装置は、限られたスペース内で複数の機器を組み合わせて構成されることから、各機器の小型化および機器全体の設置面積の縮小化が課題となっている。【０００３】  ところで、ガス絶縁開閉装置を構成する断路器等の開閉器は、開閉器本体とは別に設けられた操作装置によって開閉操作される。従って、ガス絶縁開閉装置では、開閉器の操作装置の小型化、および、操作装置を含めた機器全体の設置面積の縮小化が望まれている。【０００４】  特許文献１では、断路器および接地開閉器の機能を合わせ持つ開閉器の操作装置が記載されている。この開閉器の操作装置は、開閉器本体に取り付けられている。また、この開閉器の操作装置は、電源およびモータ等の駆動部を一体に備えて構成されている。
【先行技術文献】
【特許文献】
【０００５】
【特許文献１】特開平１１−３５３９８４号公報
【発明の概要】
【発明が解決しようとする課題】
【０００６】  しかしながら、上記従来の開閉器の操作装置は、電源およびモータ等の駆動部を一体に備えているので、操作装置の体格が大型化し、ガス絶縁開閉装置の設置面積も増大してしまう。【０００７】  また、上記従来の開閉器の操作装置は開閉器本体に取り付けられているので、操作装置の体格の大型化および電源出力の点検のための作業スペースの確保のため、回線ユニット間の間隔が大きくなり、ガス絶縁開閉装置の設置面積も増大してしまう。【０００８】  一方、開閉器の操作装置を開閉器本体から離れた場所に設置する構成もある。この構成では、操作装置と開閉器本体とが連結ロッドで連結され、開閉器は連結ロッドを介して操作装置によって操作される。【０００９】  しかしながら、操作装置と開閉器本体とを連結ロッドで連結する構成では、連結ロッドを配置するためのスペースを確保する必要があるため、ガス絶縁開閉装置の設置面積が増大する。また、この構成では、連結ロッドを配置可能な箇所が制限されるので、操作装置の設置場所も制限される。【００１０】  本発明は、上記に鑑みてなされたものであって、断路器もしくは接地開閉器または接地開閉器付の断路器である開閉器の操作装置の開閉器への取り付け部分の小型化、操作装置の配置自由度の向上、および、機器全体の設置面積の縮小化を実現することが可能なガス絶縁開閉装置および開閉器を提供することを目的とする。
【課題を解決するための手段】
【００１１】
上述した課題を解決し、目的を達成するために、本発明に係るガス絶縁開閉装置は、断路器もしくは接地開閉器または接地開閉器を一体に備えた断路器である開閉器と、当該開閉器の操作装置とを備えたガス絶縁開閉装置であって、前記操作装置は、前記開閉器の可動接触子を駆動させるための駆動源となる正逆回転可能なモータと、当該モータに電力を供給する電源と、前記モータの回転に伴って回転する第１のプーリーとを有する駆動部と、前記第１のプーリーの回転に伴って回転する第２のプーリーと、前記第２のプーリーの回転に対して間欠的に従動して前記可動接触子を駆動する従動車とを有し、前記駆動部から切り離され前記開閉器に取り付けられたゼネバ機構と、前記第１のプーリーと前記第２のプーリーとに掛け渡され、前記モータによる回転力を前記第１のプーリーから前記第２のプーリーへ伝達する可撓性の回転力伝達部材と、を備え、前記第２のプーリーには、軸方向の一端面に突起部が設けられ、前記従動車には、前記突起部が係合する溝部が設けられ、前記溝部は、Ｖ状であることを特徴とする。
【発明の効果】
【００１２】  本発明によれば、断路器もしくは接地開閉器または接地開閉器付の断路器である開閉器の操作装置の開閉器への取り付け部分の小型化、操作装置の配置自由度の向上、および、機器全体の設置面積の縮小化を実現することが可能になる、という効果を奏する。
【図面の簡単な説明】
【００１３】
【図１】図１は、実施の形態１に係る開閉器の操作装置の構成を示す側面図である。
【図２】図２は、実施の形態１に係る開閉器の操作装置の構成を示す正面図である。
【図３】図３は、ワイヤの掛け渡し方法の一例を示した模式図である
【図４】図４は、操作装置の動作を説明するための図である。
【図５】図５は、開閉器の動作を説明するための図である。
【図６】図６は、実施の形態１に係るガス絶縁開閉装置の配置構成を示す側面図である。
【図７】図７は、実施の形態１に係るガス絶縁開閉装置の配置構成を示す正面図である。
【図８】図８は、従来のガス絶縁開閉装置の配置構成を示す側面図である。
【図９】図９は、従来のガス絶縁開閉装置の配置構成を示す正面図である。
【図１０】図１０は、実施の形態２に係る開閉器の操作装置の構成を示す正面図である。
【図１１】図１１は、実施の形態２に係る開閉器の操作装置の動作を説明するための図である。
【発明を実施するための形態】
【００１４】  以下に、本発明の実施の形態に係るガス絶縁開閉装置および開閉器を図面に基づいて詳細に説明する。なお、この実施の形態によりこの発明が限定されるものではない。
【００１５】実施の形態１．  図１は、本実施の形態に係る開閉器の操作装置の構成を示す側面図、図２は、本実施の形態に係る開閉器の操作装置の構成を示す正面図である。
【００１６】  図１および図２では、開閉器として、例えば、ガス絶縁開閉装置を構成する断路器２を例に挙げている。従って、操作装置１は、断路器２を操作するための装置である。また、断路器２は、例えば、接地開閉器付の断路器である。すなわち、断路器２は、接地開閉器を一体に備えた断路器であり、断路器の機能と接地開閉器の機能を併せ持つものである。なお、開閉器としては、（接地開閉器を有しない）断路器または接地開閉器とすることもできる。また、図１および図２では、断路器２の全体構成および内部構成の図示を省略している。なお、操作装置１を断路器２の構成要素とすることもできる。
【００１７】  図１および図２に示すように、操作装置１は、断路器２に取り付けられたゼネバ機構３と、ゼネバ機構３から切り離された駆動部１０と、駆動部１０で生成された駆動力をゼネバ機構３に伝達するワイヤ２０とを備えている。ゼネバ機構３は、断路器２の側に隣接して配置され、断路器２に例えば直結されている。
【００１８】  駆動部１０は、モータ１１と、モータ１１に接続され、モータ１１に電力を供給する電源１２と、例えばモータ１１の回転軸１３（シャフト）に連結されてモータ１１の回転に伴い回転するプーリー１４（第１のプーリー）とを備えている。モータ１１は、回転軸１３が正逆回転可能であり、断路器２の可動接触子（図示せず）を駆動するための駆動源となる。プーリー１４は、モータ１１の回転軸１３の回転に伴い、回転軸１３と同方向に回転する。駆動部１０は、断路器２から離れて配置されている。
【００１９】  ゼネバ機構３は、断路器２外で断路器２のタンクに取り付けられ、断路器２に例えば直結されている。これに対し、駆動部１０は、ゼネバ機構３から切り離されており、断路器２から離れた場所に設置されている。また、断路器２はタンク内に絶縁ガスが封入されて成るが、ゼネバ機構３は断路器２の外部に設けられ、その筐体内部も大気中にある。
【００２０】  ゼネバ機構３は、プーリー１４の回転に伴って同方向に回転するプーリー４（第２のプーリー）と、プーリー４の回転に対して間欠的に回転する従動車５と、従動車５に設けられた回転軸６とを備える。
【００２１】  プーリー４は、ゼネバ機構３の筐体に軸支されている。プーリー４とプーリー１４には、可撓性の回転力伝達部材としての金属製のワイヤ２０が掛け渡されている。モータ１１による回転力は、プーリー１４からワイヤ２０を介してプーリー４に伝達され、プーリー４はプーリー１４の回転に伴って同方向に従動する。
【００２２】  プーリー４には、軸方向の一端面にピン７（突起部）が設けられている。ピン７は、プーリー４の外径側に設けられている。また、従動車５は、ゼネバ機構３の筐体に軸支されている。従動車５は、回転軸６が設けられた側面と反対側の側面がプーリー４のピン７が設けられた側面と対向するように配置されている。従動車５の半径はプーリー４の半径よりも大きい。従動車５には、ピン７が係合される溝部８が設けられている。溝部８は、例えばＶ状であり、径方向に伸びる二つの部分が従動車５の中心でつながっている。ピン７は、プーリー４の回転に伴って溝部８に案内されて溝部８内を移動する。従動車５は、ピン７が溝部８の基端部（Ｖ字の基端部に対応し、従動車５の中央部に位置する部分）近傍にあるときにはプーリー４に従動せずに静止し、ピン７が溝部８のその他の位置にあるときにプーリー４に従動する。従動車５は、断路器２の可動接触子を予め設定された駆動範囲内で動作させるように間欠動作する。換言すれば、このような従動車５の動作を実現するように、ピン７および溝部８の位置関係が設定されている。回転軸６は、断路器２の可動接触子を駆動する軸であり、当該可動接触子に直接的または間接的に連結されている。従動車５は、回転軸６を介して断路器２の可動接触子を駆動する。
【００２３】  上記のように、ゼネバ機構３は、簡素な構造を有しているが、図示例以外の他の構造で実現してもよい。
【００２４】  図３は、ワイヤ２０の掛け渡し方法の一例を示した模式図である。なお、図３では、プーリー４の外周面等については図示を省略している。
【００２５】  ワイヤ２０は、一端がプーリー１４の外周面上の固定点５０ａで固定され、他端がプーリー１４の外周面上の固定点５０ｂで固定されている。また、固定点５０ａは、固定点５０ｂから軸方向に離れている。
【００２６】  図３（ａ）では、ワイヤ２０は、固定点５０ａからプーリー４まで引き回され、プーリー４に掛け渡され、さらにプーリー１４まで引き回された後、プーリー１４の外周面に予め決められた回数だけ巻き付けられて固定点５０ｂに固定されている。ワイヤ２０は、プーリー４，１４に弛まないように掛け渡されている。
【００２７】  図３（ａ）において、プーリー１４が矢印の方向（反時計方向）に回転すると、ワイヤ２０は固定点５０ａ側で外周面に巻き付けられると共に固定点５０ｂ側で巻き解かれる。これにより、プーリー４も反時計方向に回転し、プーリー１４は図３（ｂ）の状態に移行する。
【００２８】  また、図３（ｂ）において、プーリー１４が矢印の方向（時計方向）に回転すると、ワイヤ２０は固定点５０ｂ側で外周面に巻き付けられると共に固定点５０ａ側で巻き解かれる。これにより、プーリー４も時計方向に回転し、プーリー１４は図３（ａ）の状態に移行する。
【００２９】  なお、ワイヤ２０のプーリー４，１４への掛け渡し方法は図示例で限定されず、他の掛け渡し方法を採用してもよい。
【００３０】  次に、操作装置１の動作について、図４および図５を参照して説明する。図４は、操作装置１の動作を説明するための図であり、詳細には、（ａ）断路器入状態のときの操作装置の図、（ｂ）完全開路状態のときの操作装置の図、（ｃ）接地状態のときの操作装置の図である。図５は、断路器２の動作を説明するための図であり、詳細には、（ａ）断路器入状態のときの図、（ｂ）完全開路状態のときの図、（ｃ）接地状態のときの図である。
【００３１】  まず、断路器２の構成について概略を説明する（図５）。断路器２は、例えばブレード状の可動接触子６０を備えている。可動接触子６０は、回転軸６に直接的または間接的に連結されており、回転軸６の回転に伴って同方向に回転する。可動接触子６０は、断路器および接地開閉器に共通して用いられる。また、固定接触子６１は断路器２の固定接触子であり、固定接触子６２は接地開閉器の固定接触子である。なお、断路器２の構成は図示例に限定されず、例えばその可動接触子を直線動型のものとする構成も可能である。この場合は、回転軸６の回転を直線動に転換する歯車機構等を回転軸６と可動接触子との間に介在させることとなる。
【００３２】  次に、断路器２を、例えば、完全開路状態（図５（ｂ））から断路器入状態（図５（ａ））にする場合の動作について説明する。図４（ｂ）の状態で、モータ１１を時計方向に回転するように始動し、プーリー１４を時計方向に回転させると、ワイヤ２０を介してプーリー４も時計方向に回転し、ピン７が溝部８内を外径側に移動する。プーリー４は、ピン７が溝部８のＶ字の基端部から溝部８内を径方向に一定距離移動するまで空転し、その後は、ピン７と溝部８とが噛み合って、プーリー４の回転が従動車５に伝達される。すなわち、ピン７が溝部８内を外径側に移動しつつ従動車５を時計方向に回転させ、さらにピン７が溝部８内での移動方向を転換して内径側に移動しつつ従動車５を同方向に回転させ、図４（ａ）の状態に至る。図４（ａ）の状態では、プーリー４は再び空転するので、従動車５は停止し、可動接触子６０は固定接触子６１に接触した状態で停止する（図５（ａ））。モータ１１は、図４（ａ）の状態後のプーリー４の空転中に停止するように制御する。
【００３３】  次に、断路器２を、例えば、完全開路状態（図５（ｂ））から接地状態（図５（ｃ））にする場合の動作について説明する。図４（ｂ）の状態で、モータ１１を反時計方向に回転するように始動し、プーリー１４を反時計方向に回転させると、ワイヤ２０を介してプーリー４も反時計方向に回転し、ピン７が溝部８内を外径側に移動する。プーリー４は、ピン７が溝部８のＶ字の基端部から溝部８内を径方向に一定距離移動するまで空転し、その後は、ピン７と溝部８とが噛み合って、プーリー４の回転が従動車５に伝達される。すなわち、ピン７が溝部８内を外径側に移動しつつ従動車５を反時計方向に回転させ、さらにピン７が溝部８内での移動方向を転換して内径側に移動しつつ従動車５を同方向に回転させ、図４（ｃ）の状態に至る。図４（ｃ）の状態では、プーリー４は再び空転するので、従動車５は停止し、可動接触子６０は固定接触子６２に接触した状態で停止する（図５（ｃ））。モータ１１は、図４（ｃ）の状態後のプーリー４の空転中に停止するように制御する。
【００３４】  断路器２のその他の動作についても同様に説明することができる。ゼネバ機構３を用いて可動接触子６０を駆動制御することにより、可動接触子６０の固定接触子６１，６２との接触位置および完全開路位置を機械的に固定することができ、電気的に入切を制御する場合に比べて、断路器２の操作の信頼性が高くなる。
【００３５】  次に、本実施の形態に係るガス絶縁開閉装置の配置構成の一例について説明する。図６は、本実施の形態に係るガス絶縁開閉装置の配置構成を示す側面図、図７は、本実施の形態に係るガス絶縁開閉装置の配置構成を示す正面図である。
【００３６】  図６および図７に示すように、ガス絶縁開閉装置５０は、回線ユニット３０〜３２が母線３４，３５により互いに接続されて構成されている。回線ユニット３０〜３２は遮断器および断路器等を備えて成り、目的に応じて（例えば、送受電用回線ユニット、変圧器用回線ユニット等）個別に構成されている。ガス絶縁開閉装置５０は、例えば三相一括型（同一タンク内に三相の機器が収納）である。なお、以下では、回線ユニット３０の構成についてのみ詳細に説明し、回線ユニット３１，３２については操作装置に関連する構成についてのみ簡単に説明する。
【００３７】  回線ユニット３０の構成について説明する。回線ユニット３０は、軸線を設置面に対して垂直にして配置された遮断器３３と、遮断器３３に接続された母線側の接地開閉器付の断路器２ａと、遮断器３３に接続され、断路器２ａの上方に配置された母線側の接地開閉器付の断路器２ｂと、遮断器３３に接続された線路側の接地開閉器付の断路器２ｃとを備えている。断路器２ａは母線３４に接続され、断路器２ｂは母線３５に接続されている。
【００３８】  断路器２ａの上部には、断路器２ａの操作装置１ａのゼネバ機構３ａが設けられている。操作装置１ａの駆動部１０ａは、断路器２ｂの上部に架台３６を介して配置された箱６５内に収納されている。駆動部１０ａの第１のプーリー（図示せず）とゼネバ機構３ａの第２のプーリー（図示せず）とにワイヤ２０ａが掛け渡されている。操作装置１ａの構成は、図１〜図５を参照して説明した操作装置１の構成と同様である。
【００３９】  断路器２ｂの上部には、断路器２ｂの操作装置１ｂのゼネバ機構３ｂが設けられている。操作装置１ｂの駆動部１０ｂは、駆動部１０ａと同様に箱６５内に収納されている。駆動部１０ｂの第１のプーリー（図示せず）とゼネバ機構３ｂの第２のプーリー（図示せず）とにワイヤ２０ｂが掛け渡されている。操作装置１ｂの構成は、操作装置１の構成と同様である。
【００４０】  断路器２ｃの側面には、断路器２ｃの操作装置１ｃのゼネバ機構３ｃが設けられている。操作装置１ｃの駆動部１０ｃは、駆動部１０ａ，１０ｂと同様に箱６５内に収納されている。駆動部１０ｃの第１のプーリー（図示せず）とゼネバ機構３ｃの第２のプーリー（図示せず）とにワイヤ２０ｃが掛け渡されている。操作装置１ｃの構成は、操作装置１の構成と同様である。
【００４１】  ワイヤ２０ａ〜２０ｃは、少なくとも箱６５の外部およびゼネバ機構３ａ〜３ｃの筐体の外部では、例えばチューブ（図示せず）の中に収納されており、チューブを取付板（図示せず）の穴に通すことにより引き回されている。ワイヤ２０ａ〜２０ｃは、それぞれ、撓む方向が同一平面内に限られず、三次元的な可撓性を有するので、断路器２ａ〜２ｃと箱６５との位置関係に応じて引回しが容易なように引回し方向を自由に調整できる。例えば、ワイヤ２０ｃは、引回しが同一平面内に制限されておらず、同一平面を越えて三次元的に引きまわれている。また、ゼネバ機構３ｃと駆動部１０ｃとの間におけるワイヤ２０ｃの移動経路（配線経路）は折り曲げられている。
【００４２】  なお、回線ユニット３１，３２の構成についても回線ユニット３０と同様である。符号は省略しているが、回線ユニット３１，３２は、それぞれ、二台の母線側の接地開閉器付の断路器と、一台の線路側の接地開閉器付の断路器と、各断路器の操作装置を備えている。そして、各操作装置の構成は、操作装置１の構成と同様である。
【００４３】  以上説明したように、本実施の形態では、ゼネバ機構３は断路器２に取り付けられ、駆動部１０はゼネバ機構３から切り離されて断路器２から離れて配置され、駆動部１０のプーリー１４とゼネバ機構３のプーリー４とにワイヤ２０が掛け渡されてモータ１１の駆動力が伝達されるように操作装置１が構成されている（図１〜図５）。また、ガス絶縁開閉装置５０の断路器の操作装置には操作装置１の構成が適用されている（図６、図７）。
【００４４】  このような構成により、駆動部１０が切り離された分、操作装置１の断路器２に取り付けられる部分の大きさが小さくなる。そのため、ガス絶縁開閉装置５０の回線ユニット間の間隔を縮小化することができ、ガス絶縁開閉装置５０の設置面積を縮小化することができる（図７）。
【００４５】  また、操作装置１の駆動部１０は、ゼネバ機構３から切り離されているので、保守点検がより容易な場所に配置することができる。例えば、図６および図７では、駆動部１０ａ〜１０ｃは回線ユニット３０の正面側の箱６５内に収納されている。そのため、作業員は電源出力の点検のために断路器２ａ〜２ｃ等の設置箇所まで到達する必要がなく、作業性が向上する（図７）。
【００４６】  また、ゼネバ機構３と駆動部１０との間でワイヤ２０を介して駆動力を伝達する構成とすることで、操作装置１の内部構造が簡素化され、操作装置１の大きさも全体として小さくなるので、機器の小型化およびガス絶縁開閉装置５０の設置面積の縮小化につながる。
【００４７】  また、本実施の形態では、ワイヤ２０を介して駆動部１０とゼネバ機構３との間で駆動力を伝達している。ワイヤ２０は、三次元的な可撓性を有するので、引き回しの自由度が大きく、駆動部１０の設置箇所の自由度も大きくなる。図６および図７では、ワイヤ２０ａ〜２０ｃを用いることで、駆動部１０ａ〜１０ｃを一箇所に集約し、箱６５内に収納している。
【００４８】  なお、本実施の形態では、プーリー４とプーリー１４とを掛け渡す可撓性の回転力伝達部材としてワイヤ２０を用いたが、三次元的に撓む可撓性と一定の強度を有するものであればその他のものを用いることができ、例えばベルト状のものを用いてもよい。
【００４９】  また、ワイヤ２０を用いる代わりに、プーリーを一対の歯車に置き換えてチェーンを用いる構成も考えられるが、チェーンは同一平面内で回転させる必要があるので、駆動部１０に配置自由度が制限される。
【００５０】  次に、本実施の形態との比較のため、従来のガス絶縁開閉装置の配置構成について説明する。図８は、従来のガス絶縁開閉装置の配置構成を示す側面図、図９は、従来のガス絶縁開閉装置の配置構成を示す正面図である。
【００５１】  図８および図９に示すように、従来のガス絶縁開閉装置１５０は、回線ユニット１３０〜１３２が母線９０，９１により互いに接続されて構成される。回線ユニット１３０〜１３２はそれぞれ遮断器および断路器等を備えて成る。回線ユニット１３０は、遮断器８３、母線側の接地開閉器付の断路器８４，８５、および線路側の接地開閉器付の断路器８６を備えている。また、断路器８４の上部にはその操作装置８７が配置され、断路器８５の上部にはその操作装置８８が配置され、断路器８６の側面にはその操作装置８９が配置されている。なお、回線ユニット１３１，１３２についても回線ユニット１３０と同様の構成である。
【００５２】  従来のガス絶縁開閉装置１５０では、操作装置８７〜８９はそれぞれモータ（図示せず）および電源（図示せず）を一体に備えている。そのため、操作装置８７〜８９は、図６および図７に示したゼネバ機構３ａ〜３ｃよりも機器体格が大きくなり、ガス絶縁開閉装置１５０の設置面積の増大につながる。
【００５３】  また、従来のガス絶縁開閉装置１５０では、操作装置８７〜８９はそれぞれ断路器８４〜８６に取り付けられているので、機器体格の大型化に伴って回線ユニット間の間隔が増大することに加えて、作業員は電源出力の点検のために、操作装置８７〜８９の設置箇所まで到達する必要があり、作業スペースの確保のためにも回線ユニット間の間隔を確保する必要がある（図９）。従って、従来のガス絶縁開閉装置１５０では、回線ユニット間の間隔が本実施の形態と比べて増大し、ガス絶縁開閉装置１５０の設置面積が増大する。また、電源出力の点検のために、作業性も低下する。
【００５４】  なお、図示は省略するが、従来のガス絶縁開閉装置では、開閉器の操作装置を開閉器から離して配置し、開閉器と操作装置とを連結ロッドで結んで構成するものがある。
【００５５】  しかしながら、連結ロッドは設置スペースを要するため、ガス絶縁開閉装置の設置面積の増大につながると共に、操作装置の配置箇所が制限される。
【００５６】  本実施の形態によれば、従来の開閉器の操作装置に比べて、操作装置の開閉器への取り付け部分の小型化、操作装置の配置自由度の向上、および、機器全体の設置面積の縮小化が実現される。
【００５７】実施の形態２．  本実施の形態では、実施の形態１で説明したゼネバ機構の構成と異なる構成例について説明する。図１０は、本実施の形態に係る開閉器の操作装置の構成を示す正面図である。なお、図１０では、図１および図２と同一の構成要素には同一の符号を付している。また、図１０では、駆動部１０内におけるプーリー１４以外の構成の図示を省略すると共に、断路器の図示も省略している。
【００５８】  図１０に示すように、本実施の形態では、ゼネバ機構３は、プーリー４と、プーリー４に従動する欠歯歯車７０ａ（第１の欠歯歯車）と、欠歯歯車７０ａの回転に対して互いの歯が噛み合う場合にのみ回転することでプーリー４の回転に対して間欠的に従動して断路器の可動接触子を駆動する欠歯歯車７０ｂ（第２の欠歯歯車）とを有している。
【００５９】  欠歯歯車７０ａは、例えばプーリー４に同軸的に固定されて、プーリー４の回転に伴って従動する。欠歯歯車７０ａは、例えば略半周にのみ歯が設けられている。
【００６０】  欠歯歯車７０ｂには、断路器の可動接触子に直接的または間接的に連結される回転軸６が設けられている。すなわち、欠歯歯車７０ｂは、実施の形態１の従動車５に相当する。
【００６１】  欠歯歯車７０ｂは、円形の一部を直線で切り欠いた形状であり、円弧状の外周面は、周方向の両端部がそれぞれ一定の角度欠歯されると共に、周方向の中央部も一定角度欠歯され、その他の部分に欠歯歯車７０ａの歯と噛み合う歯が設けられている。欠歯歯車７０ａの歯と欠歯歯車７０ｂの歯とが互いに噛み合う場合にのみ、欠歯歯車７０ａの回転力が欠歯歯車７０ｂに伝達される。なお、欠歯歯車７０ｂは、例えば欠歯歯車７０ａよりも径が大きい。
【００６２】  次に、図１１および図５を参照して、本実施の形態の動作について説明する。図１１は、本実施の形態に係る開閉器の操作装置の動作を説明するための図であり、詳細には、（ａ）断路器入状態のときの操作装置の図、（ｂ）完全開路状態のときの操作装置の図、（ｃ）接地状態のときの操作装置の図である。
【００６３】  まず、断路器２を、例えば、完全開路状態（図５（ｂ））から断路器入状態（図５（ａ））にする場合の動作について説明する。図１１（ｂ）の状態で、プーリー１４を反時計方向に回転させると、ワイヤ２０を介してプーリー４も反時計方向に回転し、欠歯歯車７０ａもこれに従動する。欠歯歯車７０ａは、自己の歯と欠歯歯車７０ｂの歯が噛み合うまでは空転し、その後は、互いの歯が噛み合って、プーリー４の回転が欠歯歯車７０ａを介して従動車である欠歯歯車７０ｂに伝達される。すなわち、欠歯歯車７０ａは欠歯歯車７０ｂを時計方向に回転させ、図１１（ａ）の状態に至る。図１１（ａ）の状態では、欠歯歯車７０ａは再び空転し、欠歯歯車７０ｂは停止し、可動接触子６０は固定接触子６１に接触した状態で停止する（図５（ａ））。
【００６４】  次に、断路器２を、例えば、完全開路状態（図５（ｂ））から接地状態（図５（ｃ））にする場合の動作について説明する。図１１（ｂ）の状態で、プーリー１４を時計方向に回転させると、ワイヤ２０を介してプーリー４も時計方向に回転し、欠歯歯車７０ａもこれに従動する。欠歯歯車７０ａは、自己の歯と欠歯歯車７０ｂの歯が噛み合うまでは空転し、その後は、互いの歯が噛み合って、プーリー４の回転が欠歯歯車７０ａを介して従動車である欠歯歯車７０ｂに伝達される。すなわち、欠歯歯車７０ａは欠歯歯車７０ｂを反時計方向に回転させ、図１１（ｃ）の状態に至る。図１１（ｃ）の状態では、欠歯歯車７０ａは再び空転し、欠歯歯車７０ｂは停止し、可動接触子６０は固定接触子６２に接触した状態で停止する（図５（ｃ））。
【００６５】  本実施の形態によれば、実施の形態１と異なるゼネバ機構３により、開閉器の操作装置を実現することができる。
【００６６】  なお、ゼネバ機構３の構成は、プーリー１４の回転に伴って回転するプーリー４と、プーリー４の回転に対して間欠的に従動して可動接触子を駆動する従動車とを有するものであればよく、実施の形態１，２の構成例に限定されない。
【産業上の利用可能性】
【００６７】  以上のように、本発明は、ガス絶縁開閉装置を構成する断路器等の開閉器の操作装置として有用である。
【符号の説明】
【００６８】  １，１ａ〜１ｃ，８７〜８９  操作装置、２，２ａ〜２ｃ，８４〜８６  断路器、３，３ａ〜３ｃ  ゼネバ機構、４，１４  プーリー、５  従動車、６，１３  回転軸、７  ピン、８  溝部、１０，１０ａ〜１０ｃ  駆動部、１１  モータ、１２  電源、２０，２０ａ〜２０ｃ  ワイヤ、３０〜３２，１３０〜１３２  回線ユニット、３３，８３  遮断器、３４，３５，９０，９１  母線、３６  架台、５０，１５０  ガス絶縁開閉装置、５０ａ，５０ｂ  固定点、６０  可動接触子、６１，６２  固定接触子、６５  箱、７０ａ，７０ｂ  欠歯歯車。 
【要約】  断路器（２）の操作装置（１）は、駆動部（１０）、ゼネバ機構（３）、およびワイヤ（２０）を備えている。駆動部（１０）は、断路器（２）の可動接触子を駆動させるための駆動源となる正逆回転可能なモータ（１１）と、モータ（１１）に電力を供給する電源（１２）と、モータ（１１）の回転軸（１３）に連結されたプーリー（１４）とを有し、断路器（２）から離れて配置されている。ゼネバ機構（３）は、プーリー（１４）の回転に伴って同方向に回転するプーリー（４）と、プーリー（４）の回転に対して間欠的に従動すると共に可動接触子に連結された回転軸（６）が設けられた従動車（５）とを有し、駆動部（１０）から切り離されて断路器（２）に取り付けられている。そして、可撓性の回転力伝達部材として、プーリー（４）とプーリー（１４）とにワイヤ（２０）が掛け渡されている。【図１】
0005661223.tif 000002
【図２】
0005661223.tif 000003
【図３】
0005661223.tif 000004
【図４】
0005661223.tif 000005
【図５】
0005661223.tif 000006
【図６】
0005661223.tif 000007
【図７】
0005661223.tif 000008
【図８】
0005661223.tif 000009
【図９】
0005661223.tif 000010
【図１０】
0005661223.tif 000011
【図１１】
0005661223.tif 000012